(57)【要約】      （修正有）【課題】握り柄を握る手との引っ掛かり力を高めて、握り柄の保持力を高める手動利器を提供する。【解決手段】握り柄の前方に刃身３を設けた手動利器において、握り柄の表面に外側に突設する点状の小突起６を設ける。小突起６は握り柄の前部から後部にかけて間隔１８，１９，２０，２１を介して複数設けられる。断続的に小突起６が設けられる握り柄を握ったＡ，Ｂ，Ｃ，Ｄ，Ｅや掌Ｆが点状に断続状態で引っ掛かることで、引っ掛かり面積を増大せしめて引っ掛かり力を増大せしめることができる。【選択図】図１
0003154383.tif 000002
【実用新案登録請求の範囲】
【請求項１】
握り柄の前方に刃身を設けた手動利器において、前記握り柄の表面に外側に突設する点状の小突起を設けたことを特徴とする手動利器。
【請求項２】
前記小突起は前記握り柄の前部から後部にかけて間隔を介して複数設けられることを特徴とする請求項１記載の手動利器。
【請求項３】
前記手動利器は包丁であり、前記握り柄は前後方向を長手方向とした柱状であって、その縦断面は縦長なほぼ楕円形に形成され、前記小突起は前記握り柄の両側の側面の前部にそれぞれ設けられると共に前記側面の上下方向高さのほぼ中央に配置される第一の小突起と、この第一の小突起のやや後方に第一の間隔を介して前記側面の上下方向高さのほぼ上部及び下部に配置される第二の小突起及び第三の小突起と、前記側面の前記第二の小突起及び前記第三の小突起の後方に第二の間隔を介して設けられ複数の第三の間隔を介して直線状に設けられる突起群とを備え、前記突起群のうち前記側面の前記前部側にある第四の突起と前記側面の前記後部側にある第五の突起とを結ぶ仮想線の前記前部側は前記第一の小突起側を向いていることを特徴とする請求項２記載の手動利器。
【請求項４】
前記握り柄の上面に上向き小突起を設けたことを特徴とする請求項３記載の手動利器。
【請求項５】
前記小突起の幅及び高さを１〜１０ｍｍにそれぞれ形成したことを特徴とする請求項４記載の手動利器。
【考案の詳細な説明】
【技術分野】
【０００１】
本考案は、包丁などの手動利器に関するものである。
【背景技術】
【０００２】
従来、包丁の握り柄に滑り止めを施すものとして、ハンドグリップ側面の前、中、後の三部分に、手指の湾曲度に適合し内側に向かい陥没した凹部をそれぞれ形成し、使用時には親指はちょうど凹部に適合し、中指、薬指、及び小指もハンドグリップの他の凹部にそれぞれ対応し、挟持するものが知られている。（例えば、特許文献１）。
【先行技術文献】
【特許文献】
【０００３】
【特許文献１】実用新案登録第３０７４３５６号公報
【考案の概要】
【考案が解決しようとする課題】
【０００４】
しかし、従来技術においては、凹部は比較的大きく形成されるものであるため、凹部への指の引っ掛かりが曖昧になり、握り柄の保持力を高めにくく、したがって、例えば腕力の弱い人では多少使いにくいなどのおそれもあった。
【０００５】
解決しようとする問題点は、握り柄を握る手との引っ掛かり力を高めて、握り柄の保持力を高めるようにすることを目的とする。
【課題を解決するための手段】
【０００６】
請求項１の考案は、握り柄の前方に刃身を設けた手動利器において、前記握り柄の表面に外側に突設する点状の小突起を設けたことを特徴とする手動利器である。
【０００７】
請求項２の考案は、前記小突起は前記握り柄の前部から後部にかけて間隔を介して複数設けられることを特徴とする請求項１記載の手動利器である。
【０００８】
請求項３の考案は、前記手動利器は包丁であり、前記握り柄は前後方向を長手方向とした柱状であって、その縦断面は縦長なほぼ楕円形に形成され、前記小突起は前記握り柄の両側の側面の前部にそれぞれ設けられると共に前記側面の上下方向高さのほぼ中央に配置される第一の小突起と、この第一の小突起のやや後方に第一の間隔を介して前記側面の上下方向高さのほぼ上部及び下部に配置される第二の小突起及び第三の小突起と、前記側面の前記第二の小突起及び前記第三の小突起の後方に第二の間隔を介して設けられ複数の第三の間隔を介して直線状に設けられる突起群とを備え、前記突起群のうち前記側面の前記前部側にある第四の突起と前記側面の前記後部側にある第五の突起とを結ぶ仮想線の前記前部側は前記第一の小突起側を向いていることを特徴とする請求項２記載の手動利器である。
【０００９】
請求項４の考案は、前記握り柄の上面に上向き小突起を設けたことを特徴とする請求項３記載の手動利器である。
【００１０】
請求項５の考案は、前記小突起の幅及び高さを１〜１０ｍｍにそれぞれ形成したことを特徴とする請求項４記載の手動利器である。
【考案の効果】
【００１１】
請求項１の考案によれば、小突起によって手との引っ掛かり面積を増大せしめて引っ掛かり力を増大せしめることができる。
【００１２】
請求項２の考案によれば、握り柄を握った指や掌に沿って引っ掛かりを作り、手の全体に引っ掛かりを作ることができる。
【００１３】
請求項３の考案によれば、第一指を第一乃至三の小突起の間に配置することで、確実に第一指を係止することができると共に、他の指との係止も確保することができる。さらに、右利き、左利きであっても、自由に使用できるのみならず、掌全体を当てて係止できる。
【００１４】
請求項４の考案によれば、握り柄を握ったときの掌を上向き突起に係止して保持力を向上することができる。
【００１５】
請求項５の考案によれば、小突起の幅及び高さを１〜１０ｍｍに形成したことで、指や掌との引っ掛かりを確実にすることができる。
【図面の簡単な説明】
【００１６】
【図１】本考案の第１実施例を示す正面図である。
【図２】同断面図である。
【図３】本考案の第２実施例を示す正面図である。
【考案を実施するための最良の形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１８】
図１〜２は実施例１を示しており、図１に示すように手動利器である包丁１は、合成樹脂製の握り柄２の前方に鋼製の刃身３が設けられており、前後方向を長手方向とした握り柄２は、手が握りやすいように縦断面がほぼ楕円となって楕円柱状に形成されている。
【００１９】
前記握り柄２の左右の側面４及び上面５において、それぞれ点状の小突起６が外側、上向きに向けて突設している。そして、左右の側面４においては、他方の側面４の正面を図示していないが、一方の側面４の正面と同じように小突起６が配置されている。これら小突起６の断面は図２に示すように基端部６Ａが握り柄２側にあり、先端部６Ｂが外側、上側に向いたほぼ半円球状又は半楕円球状であって、小突起６の幅Ｄ及び高さＨは１ｍｍ乃至１０ｍｍ程度にそれぞれ形成されている。また、握り柄２の下面７において、長手方向に沿ってほぼ波型の凹部８が複数連続している。
【００２０】
前記側面４に設けられる小突起６は、第一の小突起９、第二の小突起10、第三の小突起11と、小突起群12を形成する第四の小突起13、第五の小突起14及び、第四の小突起13と第五の小突起14との間に設けられる第一の中間の小突起15、第二の中間の小突起16、第三の中間の小突起17によって形成されている。第一の小突起９は握り柄２の側面４の前部２Ａに設けられると共に側面４の上下方向高さのほぼ中央に配置される。第二の小突起10及び第三の小突起11は、第一の小突起９のやや後方に第一の間隔18を介して側面４の上下方向高さのほぼ上部及び下部に配置される。側面４の第二の小突起10及び第三の小突起11のそれぞれの後方に第二の間隔19を介して設けられ小突起群12が設けられる。この小突起群12は、第二の間隔19を介して設けられる第四の小突起13とこの第四の小突起13の後方に続く握り柄２の最も後部２Ｂに配置される第五の小突起14と、これら第四の小突起13と第五の小突起14との間に第三の間隔20をそれぞれ介して設けられる第一の中間の小突起15、この第一の中間の小突起15の後方に配置される第二の中間の小突起16、この第二の中間の小突起16の後方に配置される第三の中間の小突起17とからなる。第四の小突起13、第一の中間の小突起15等からなる小突起群12、第五の小突起14は側面４においてほぼ一直線状に配置されており、この配置を示す仮想線Ｘの前側は第二の小突起10に向いている。そして、第一の間隔18、第二の間隔19、第三の間隔20は、指のほぼ幅程度となる５乃至２０ｍｍ程度に形成されている。
【００２１】
握り柄２の上面５にはその後部２Ｂに５箇所長手方向に沿ってそれぞれ第四の間隔21を介して第一の上向き小突起22、第二の上向き小突起23、第三の上向き小突起24、第四の上向き小突起25、第五の上向き小突起26が設けられている。
【００２２】
次に前記構成について、その作用を説明する。尚、以下の説明では右利きの場合で説明する。食材を切るため包丁１の握り柄２を握ったとき、一点鎖線で示すように第一指Ａの指先の腹が左側の側面４にある第一の小突起９、第二の小突起10、第三の小突起11に囲まれた部位に配置される。この配置により第一指Ａの指先は前後上下方向に引っ掛かりができることとなる。また、二点鎖線で示すように第二指Ｂ、第三指Ｃ、第四指Ｄ、第五指Ｅは、それぞれ右側の側面４の第四の小突起13と第一の中間の小突起15との間、第一の中間の小突起15と第二の中間の小突起16との間、第二の中間の小突起16と第三の中間の小突起17との間、第三の中間の小突起17と第五の小突起14との間に配置されることで、第二指Ｂ、第三指Ｃ、第四指Ｄ、第五指Ｅはそれぞれ第四の小突起13、第一の中間の小突起15、第二の中間の小突起16、第三の中間の小突起17、第五の小突起14により、引っ掛かりができるようになる。
【００２３】
また、握り柄２を握ったときには、一点鎖線に示すように手の掌Ｆが第一の上向き小突起22、第二上向き小突起、第三の上向き小突起24、第四の上向き小突起25、第五の上向き小突起26にそれぞれ引っ掛かるようになっている。
【００２４】
以上のように、前記実施例では請求項１に対応して、握り柄２の前方に刃身３を設けた手動利器において、握り柄２の表面に外側に突設する点状の小突起６を設けたことにより、これら断続的に小突起６が設けられる握り柄２を握ったＡ，Ｂ，Ｃ，Ｄ，Ｅや掌Ｆが点状に断続状態で引っ掛かることで、引っ掛かり面積を増大せしめて引っ掛かり力を増大せしめることができる。
【００２５】
前記実施例では請求項２に対応して、小突起６は握り柄２の前部２Ａから後部２Ｂにかけて間隔18，19，20，21を介して複数設けられることで、握り柄２を握った指Ａ，Ｂ，Ｃ，Ｄ，Ｅや掌Ｆに沿って引っ掛かりを作ることで、手の全体に引っ掛かりを作ることができる。
【００２６】
前記実施例では請求項３に対応して、前記手動利器は包丁１であり、握り柄２は前後方向を長手方向とした柱状であって、その縦断面は縦長なほぼ楕円形に形成され、小突起６は握り柄２の両側の側面４の前部２Ａにそれぞれ設けられると共に側面４の上下方向高さのほぼ中央に配置される第一の小突起９と、この第一の小突起９のやや後方に第一の間隔18を介して側面４の上下方向高さのほぼ上部及び下部に配置される第二の小突起10及び第三の小突起11とを備えることで、第一指Ａの指先の腹を第一の小突起９、第二の小突起10、第三の小突起11の間に配置することで、第一指Ａを確実に係止することができる。また、側面４の第二の小突起10及び第三の小突起11のそれぞれの後方に第二の間隔19を介して設けられ複数の第三の間隔20を介して設けられる小突起群12とを備え、小突起群12のうち側面４の前記前部２Ａ側にある第四の小突起13と側面４の後部２Ｂ側にある第五の小突起14とを結ぶ仮想線Ｘの前部２Ａ側は第一の小突起９側を向いていることで、第二指Ｂ、第三指Ｃ、第四指Ｄ、第五指Ｅを、第四の小突起13と第一の中間の小突起15との間、第一の中間の小突起15と第二の中間の小突起16との間、第二の中間の小突起16と第三の中間の小突起17との間、第三の中間の小突起17と第五の小突起14との間に配置することで、第二指Ｂ、第三指Ｃ、第四指Ｄ、第五指Ｅを確実に係止することができる。さらに、第一乃至五の小突起９，10，11，13，14及び前記小突起群12は、前記握り柄２の左右の前記側面４にそれぞれ設けられていることで、使用する人が右利き、左利きであっても、自由に使用できるのみならず、右利きの人であっても、左側にある側面４の第一の小突起９等で掌Ｆを当てて係止できるようなこともできる。
【００２７】
前記実施例では請求項４に対応して、握り柄２の上面５に上向き小突起22，23，24，25，26を設けたことで、握り柄２を握ったときの掌Ｆを上向き突起22，23，24，25，26に係止でき、掌Ｆを確実に係止することができる。
【００２８】
前記実施例では請求項５の考案に対応して、小突起６の幅Ｄや高さＨを１〜１０ｍｍに形成したことで、指Ａ，Ｂ，Ｃ，Ｄ，Ｅや掌Ｆとの引っ掛かりを確実にすることができる。幅Ｄや高さＨが１ｍｍより小さいと、よく引っ掛からずに弱く、また１０ｍｍより大きいと引っ掛かりが曖昧になって弱くなる。
【実施例２】
【００２９】
図３に示す実施例２は前記実施例１と同一部分には同一符号を付し、その詳細な説明を省略する。実施例２においては、点状に設けられるそれぞれの小突起６´の断面は、半円球状や半楕円球状ではなく、実施例１と同じような幅を有し側面４の表面に沿って細長となる小判形状のものを断続的に設けて配置したものである。
【産業上の利用可能性】
【００３０】
以上のように本考案にかかる手動利器は、ナイフなど各種の用途に適用できる。
【符号の説明】
【００３１】
１  包丁
２  握り柄
２Ａ  前部
２Ｂ  後部
３  刃身
４  側面
６  小突起
９  第一の小突起
10  第二の小突起
11  第三の小突起
12  小突起群
13  第四の小突起
14  第五の小突起
15  第一の中間の小突起
16  第二の中間の小突起
17  第三の中間の小突起
18  第一の間隔
19  第二の間隔
20  第三の間隔
21  第四の間隔
22，23，24，25，26  上向き小突起
Ｄ  幅
Ｈ  高さ
Ｘ  仮想線
【図１】
0003154383.tif 000003
【図２】
0003154383.tif 000004
【図３】
0003154383.tif 000005